【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
加盟店サーバと決済サーバと放送受信端末とを有する決済システムであって、
前記放送受信端末は、前記加盟店サーバと前記決済サーバとセキュアな通信が可能であり、
前記放送受信端末は、
前記デジタル放送波で受信した番組情報に含まれる商品情報のうち、視聴者が選択した商品についての購入指示情報を前記加盟店サーバに送る購入指示処理部と、
クレジットカード決済に用いる決済情報の暗号化を行うアプリケーションを起動するための制御指示を前記加盟店サーバから受け取り、前記制御指示を前記クレジットカードのＩＣチップに送ることで、前記購入した商品の決済情報を暗号化して暗号化決済情報を前記ＩＣチップに生成させる決済情報処理部と、
前記ＩＣチップで生成された暗号化決済情報を前記決済サーバに送ることでクレジットカード決済の認証処理を行わせ、その認証結果を前記決済サーバから受け取る決済サーバ処理部と、
前記決済サーバから正常な認証結果を受け取った場合には、その認証結果を前記加盟店サーバに送ることで、前記商品の購入完了情報を前記加盟店サーバから受け取る購入完了処理部と、を備えており、
前記加盟店サーバは、
前記放送受信端末から受け取った購入指示情報と、前記決済サーバにおける認証結果とに基づいて前記商品の購入処理を行い、
前記決済サーバは、
前記ＩＣチップで生成した暗号化決済情報を復号化した決済情報に基づいてクレジットカード決済の認証処理を行う、
ことを特徴とする決済システム。
【請求項２】
前記番組情報にはさらに放送日時を示すタイムスタンプが含まれており、
前記購入指示処理部は、さらに、
前記購入指示情報として前記タイムスタンプを含めて前記加盟店サーバに送り、
前記加盟店サーバは、
前記タイムスタンプを含む購入指示情報を記憶することで番組に対する広告効果を検証する、
ことを特徴とする請求項１に記載の決済システム。
【請求項３】
前記番組情報にはさらに広告情報と広告の有効期限を示すタイムスタンプと放送日時を示すタイムスタンプとが含まれており、
前記放送受信端末は、さらに、
前記広告情報の閲覧要求を受け付けると、前記広告の有効期限を示すタイムスタンプを確認し、有効期限内であれば、前記放送受信端末で前記広告情報の表示を行う広告期限確認処理部を有しており、
前記購入指示処理部は、さらに、
前記購入指示情報として前記放送日時を示すタイムスタンプを含めて前記加盟店サーバに送る、
ことを特徴とする請求項１に記載の決済システム。
【請求項４】
前記放送受信端末はさらに、前記番組情報を録画する録画装置と接続しており、
前記録画装置では、前記デジタル放送波における番組情報として、少なくとも番組自体のコンテンツ情報と、前記コンテンツ情報の視聴期限と、前記コンテンツ情報を再生させる視聴鍵を送る加盟店サーバのアドレス情報と、前記コンテンツ情報の番組を識別する番組識別情報とを少なくとも記憶しており、
前記放送受信端末は、さらに、
前記録画装置に記憶したコンテンツ情報の再生要求を受け付けると、前記録画装置に記憶した前記コンテンツ情報に対応する視聴期限を確認する視聴期限確認処理部を有しており、
前記購入指示処理部は、さらに、
再生要求を受け付けたコンテンツ情報の視聴期限が経過していれば、前記コンテンツ情報の番組識別情報に対応する視聴鍵の取得依頼を購入指示情報として前記アドレス情報に基づいて前記加盟店サーバに送り、
前記放送受信端末は、
前記加盟店サーバから受け取った視聴鍵を用いて、前記録画装置に記憶したコンテンツ情報を再生させる、
ことを特徴とする請求項１から請求項３のいずれかに記載の決済システム。
【請求項５】
前記放送受信端末ではさらに、少なくとも過去の所定期間内の番組表情報と番組情報における各番組の番組識別情報と番組のコンテンツ情報を送る加盟店サーバのアドレス情報とを記憶しており、
前記購入指示処理部は、さらに、
前記番組表情報から選択された番組のコンテンツ情報の視聴依頼を前記番組識別情報とともに購入指示情報として前記アドレス情報に基づいて前記加盟店サーバに送り、
前記放送受信端末は、さらに、
前記加盟店サーバから前記番組のコンテンツ情報を受け取ることで、前記選択された番組のコンテンツ情報を再生させる、
ことを特徴とする請求項１から請求項４のいずれかに記載の決済システム。
【請求項６】
デジタル放送波を受信可能な放送受信端末と商品の販売を行う加盟店サーバとクレジットカードの決済処理を行う決済サーバとを有する決済システムにおける放送受信端末であって、
前記放送受信端末は、加盟店サーバと決済サーバとの間でセキュアな通信が可能であり、
前記デジタル放送波で受信した番組情報に含まれる商品情報のうち、視聴者が選択した商品についての購入指示情報を前記加盟店サーバに送る購入指示処理部と、
クレジットカード決済に用いる決済情報の暗号化を行うアプリケーションを起動するための制御指示を前記加盟店サーバから受け取り、前記制御指示を前記クレジットカードのＩＣチップに送ることで、前記購入した商品の決済情報を暗号化して暗号化決済情報を前記ＩＣチップに生成させる決済情報処理部と、
前記ＩＣチップで生成された暗号化決済情報を前記決済サーバに送ることでクレジットカード決済の認証処理を行わせ、その認証結果を前記決済サーバから受け取る決済サーバ処理部と、
前記決済サーバから正常な認証結果を受け取った場合には、その認証結果を前記加盟店サーバに送ることで、前記商品の購入完了情報を前記加盟店サーバから受け取る購入完了処理部と、
を備えることを特徴とする決済システムにおける放送受信端末。
【請求項７】
デジタル放送波を受信可能な放送受信端末と商品の販売を行う加盟店サーバとクレジットカードの決済処理を行う決済サーバとを有する決済システムにおける放送受信端末であって、
前記放送受信端末は、加盟店サーバと決済サーバとの間でセキュアな通信が可能であり、
前記デジタル放送波で受信した番組情報に含まれる商品情報のうち、視聴者が選択した商品についての購入指示情報を前記加盟店サーバに送る購入指示処理部と、
クレジットカード決済に用いる決済情報の暗号化を行うアプリケーションを起動するための制御指示を前記加盟店サーバから受け取り、前記放送受信端末の遠隔操作装置に前記制御指示を送ることで、前記遠隔操作装置に備えられたＩＣチップ読取装置が前記制御指示を前記クレジットカードのＩＣチップに渡し、前記ＩＣチップにおいて、前記購入した商品の決済情報を暗号化して暗号化決済情報を生成させる決済情報処理部と、
前記ＩＣチップで生成された暗号化決済情報を前記ＩＣチップ読取装置から受け取り、前記暗号化決済情報を前記決済サーバに送ることでクレジットカード決済の認証処理を行わせ、その認証結果を前記決済サーバから受け取る決済サーバ処理部と、
前記決済サーバから正常な認証結果を受け取った場合には、その認証結果を前記加盟店サーバに送ることで、前記商品の購入完了情報を前記加盟店サーバから受け取る購入完了処理部と、
を備えており、
前記放送受信端末と前記遠隔操作装置との間の通信がセキュアな通信である、
ことを特徴とする決済システムにおける放送受信端末。
【請求項８】
デジタル放送波を受信可能な放送受信端末と商品の販売を行う加盟店サーバとクレジットカードの決済処理を行う決済サーバとを有する決済システムにおける放送受信端末であって、
前記放送受信端末は、加盟店サーバと決済サーバとの間でセキュアな通信が可能であり、
前記デジタル放送波で受信した番組情報に含まれる商品情報のうち、視聴者が選択した商品についての購入指示情報を前記加盟店サーバに送る購入指示処理部と、
クレジットカード決済に用いる決済情報の暗号化を行うアプリケーションを起動するための制御指示を前記加盟店サーバから受け取り、前記放送受信端末に備えられたＩＣチップ読取装置が前記制御指示を前記クレジットカードのＩＣチップに渡し、前記ＩＣチップにおいて、前記購入した商品の決済情報を暗号化して暗号化決済情報を生成させる決済情報処理部と、
前記ＩＣチップで生成された暗号化決済情報を前記ＩＣチップ読取装置から受け取り、前記暗号化決済情報を前記決済サーバに送ることでクレジットカード決済の認証処理を行わせ、その認証結果を前記決済サーバから受け取る決済サーバ処理部と、
前記決済サーバから正常な認証結果を受け取った場合には、その認証結果を前記加盟店サーバに送ることで、前記商品の購入完了情報を前記加盟店サーバから受け取る購入完了処理部と、
を備えることを特徴とする決済システムにおける放送受信端末。
【請求項９】
デジタル放送波を受信可能な放送受信端末と商品の販売を行う加盟店サーバとクレジットカードの決済処理を行う決済サーバとを有する決済システムにおける放送受信端末であって、
前記放送受信端末は、加盟店サーバと決済サーバとの間でセキュアな通信が可能であり、
前記デジタル放送波で受信した番組情報に含まれる商品情報のうち、視聴者が選択した商品についての購入指示情報を前記加盟店サーバに送る購入指示処理部と、
クレジットカード決済に用いる決済情報の暗号化を行うアプリケーションを起動するための制御指示を前記加盟店サーバから受け取り、前記放送受信端末に備えられた前記クレジットカード決済で用いるＩＣチップにおいて、前記購入した商品の決済情報を暗号化して暗号化決済情報を生成させる決済情報処理部と、
前記ＩＣチップで生成された暗号化決済情報を前記決済サーバに送ることでクレジットカード決済の認証処理を行わせ、その認証結果を前記決済サーバから受け取る決済サーバ処理部と、
前記決済サーバから正常な認証結果を受け取った場合には、その認証結果を前記加盟店サーバに送ることで、前記商品の購入完了情報を前記加盟店サーバから受け取る購入完了処理部と、
を備えることを特徴とする決済システムにおける放送受信端末。
【請求項１０】
前記デジタル放送波で受信した番組情報に日時情報を示すタイムスタンプが含まれており、
前記放送受信端末の決済情報処理部は、
前記タイムスタンプを前記ＩＣチップに送ることで、前記ＩＣチップにおいて、前記タイムスタンプをワンタイムパスワードとして用いる暗号化決済情報を生成させる、
ことを特徴とする請求項６から請求項９のいずれかに記載の決済システムにおける放送受信端末。
【請求項１１】
機器識別情報と電子署名とを含む自己証明書情報を前記放送受信端末、前記遠隔操作装置はそれぞれ記憶しており、
前記放送受信端末は前記遠隔操作装置を装着可能な登録装置をさらに備えており、
前記遠隔操作装置が前記登録装置に装着されたあと、前記遠隔操作装置と前記放送受信端末との間で相互に前記自己証明書情報の検証処理を実行することで、少なくとも放送受信端末に前記遠隔操作装置の機器識別情報または自己証明書情報を登録し、
前記放送受信端末は、さらに、
前記遠隔操作装置の機器識別情報と前記放送受信端末の機器識別情報とを用いて、前記放送受信端末と前記遠隔操作装置との間の通信を暗号化するための共通鍵を生成し、
前記生成した共通鍵を前記遠隔操作装置に送ることで前記放送受信端末と前記遠隔操作装置との間の無線通信を、前記共通鍵を用いてセキュアに行う、
ことを特徴とする請求項７に記載の決済システムにおける放送受信端末。
【請求項１２】
前記共通鍵には使用回数または使用期限が付加されており、前記使用回数または使用期限を満たさない場合には前記共通鍵を使用不可とする、
ことを特徴とする請求項１１に記載の決済システムにおける放送受信端末。
【請求項１３】
前記放送受信端末は、
前記遠隔操作装置が前記登録装置に装着されたことを検出すると、前記遠隔操作装置の自己証明書情報を取得することによって、前記取得した自己証明書情報またはその機器識別情報と、前記放送受信端末に登録している前記遠隔操作装置の自己証明書情報またはその機器識別情報と比較することで、登録されている遠隔操作装置かを判定し、
登録されている遠隔操作装置と判定した場合、新たな共通鍵を生成して前記遠隔操作装置に送る、
ことを特徴とする請求項１１または請求項１２に記載の決済システムにおける放送受信端末。
【手続補正２】
【補正対象書類名】明細書
【補正対象項目名】００１０
【補正方法】変更
【補正の内容】
【００１０】
第１の発明は、加盟店サーバと決済サーバと放送受信端末とを有する決済システムであって、前記放送受信端末は、前記加盟店サーバと前記決済サーバとセキュアな通信が可能であり、前記放送受信端末は、前記デジタル放送波で受信した番組情報に含まれる商品情報のうち、視聴者が選択した商品についての購入指示情報を前記加盟店サーバに送る購入指示処理部と、クレジットカード決済に用いる決済情報の暗号化を行うアプリケーションを起動するための制御指示を前記加盟店サーバから受け取り、前記制御指示を前記クレジットカードのＩＣチップに送ることで、前記購入した商品の決済情報を暗号化して暗号化決済情報を前記ＩＣチップに生成させる決済情報処理部と、前記ＩＣチップで生成された暗号化決済情報を前記決済サーバに送ることでクレジットカード決済の認証処理を行わせ、その認証結果を前記決済サーバから受け取る決済サーバ処理部と、前記決済サーバから正常な認証結果を受け取った場合には、その認証結果を前記加盟店サーバに送ることで、前記商品の購入完了情報を前記加盟店サーバから受け取る購入完了処理部と、を備えており、前記加盟店サーバは、前記放送受信端末から受け取った購入指示情報と、前記決済サーバにおける認証結果とに基づいて前記商品の購入処理を行い、前記決済サーバは、前記ＩＣチップで生成した暗号化決済情報を復号化した決済情報に基づいてクレジットカード決済の認証処理を行う、決済システムである。
【手続補正３】
【補正対象書類名】明細書
【補正対象項目名】００２０
【補正方法】変更
【補正の内容】
【００２０】
第２の発明は、デジタル放送波を受信可能な放送受信端末と商品の販売を行う加盟店サーバとクレジットカードの決済処理を行う決済サーバとを有する決済システムにおける放送受信端末であって、前記放送受信端末は、加盟店サーバと決済サーバとの間でセキュアな通信が可能であり、前記デジタル放送波で受信した番組情報に含まれる商品情報のうち、視聴者が選択した商品についての購入指示情報を前記加盟店サーバに送る購入指示処理部と、クレジットカード決済に用いる決済情報の暗号化を行うアプリケーションを起動するための制御指示を前記加盟店サーバから受け取り、前記制御指示を前記クレジットカードのＩＣチップに送ることで、前記購入した商品の決済情報を暗号化して暗号化決済情報を前記ＩＣチップに生成させる決済情報処理部と、前記ＩＣチップで生成された暗号化決済情報を前記決済サーバに送ることでクレジットカード決済の認証処理を行わせ、その認証結果を前記決済サーバから受け取る決済サーバ処理部と、前記決済サーバから正常な認証結果を受け取った場合には、その認証結果を前記加盟店サーバに送ることで、前記商品の購入完了情報を前記加盟店サーバから受け取る購入完了処理部と、を備える決済システムにおける放送受信端末である。
【手続補正４】
【補正対象書類名】明細書
【補正対象項目名】００２２
【補正方法】変更
【補正の内容】
【００２２】
第３の発明は、デジタル放送波を受信可能な放送受信端末と商品の販売を行う加盟店サーバとクレジットカードの決済処理を行う決済サーバとを有する決済システムにおける放送受信端末であって、前記放送受信端末は、加盟店サーバと決済サーバとの間でセキュアな通信が可能であり、前記デジタル放送波で受信した番組情報に含まれる商品情報のうち、視聴者が選択した商品についての購入指示情報を前記加盟店サーバに送る購入指示処理部と、クレジットカード決済に用いる決済情報の暗号化を行うアプリケーションを起動するための制御指示を前記加盟店サーバから受け取り、前記放送受信端末の遠隔操作装置に前記制御指示を送ることで、前記遠隔操作装置に備えられたＩＣチップ読取装置が前記制御指示を前記クレジットカードのＩＣチップに渡し、前記ＩＣチップにおいて、前記購入した商品の決済情報を暗号化して暗号化決済情報を生成させる決済情報処理部と、前記ＩＣチップで生成された暗号化決済情報を前記ＩＣチップ読取装置から受け取り、前記暗号化決済情報を前記決済サーバに送ることでクレジットカード決済の認証処理を行わせ、その認証結果を前記決済サーバから受け取る決済サーバ処理部と、前記決済サーバから正常な認証結果を受け取った場合には、その認証結果を前記加盟店サーバに送ることで、前記商品の購入完了情報を前記加盟店サーバから受け取る購入完了処理部と、を備えており、前記放送受信端末と前記遠隔操作装置との間の通信がセキュアな通信である、決済システムにおける放送受信端末である。
【手続補正５】
【補正対象書類名】明細書
【補正対象項目名】００２４
【補正方法】変更
【補正の内容】
【００２４】
第４の発明は、デジタル放送波を受信可能な放送受信端末と商品の販売を行う加盟店サーバとクレジットカードの決済処理を行う決済サーバとを有する決済システムにおける放送受信端末であって、前記放送受信端末は、加盟店サーバと決済サーバとの間でセキュアな通信が可能であり、前記デジタル放送波で受信した番組情報に含まれる商品情報のうち、視聴者が選択した商品についての購入指示情報を前記加盟店サーバに送る購入指示処理部と、クレジットカード決済に用いる決済情報の暗号化を行うアプリケーションを起動するための制御指示を前記加盟店サーバから受け取り、前記放送受信端末に備えられたＩＣチップ読取装置が前記制御指示を前記クレジットカードのＩＣチップに渡し、前記ＩＣチップにおいて、前記購入した商品の決済情報を暗号化して暗号化決済情報を生成させる決済情報処理部と、前記ＩＣチップで生成された暗号化決済情報を前記ＩＣチップ読取装置から受け取り、前記暗号化決済情報を前記決済サーバに送ることでクレジットカード決済の認証処理を行わせ、その認証結果を前記決済サーバから受け取る決済サーバ処理部と、前記決済サーバから正常な認証結果を受け取った場合には、その認証結果を前記加盟店サーバに送ることで、前記商品の購入完了情報を前記加盟店サーバから受け取る購入完了処理部と、を備える決済システムにおける放送受信端末である。
【手続補正６】
【補正対象書類名】明細書
【補正対象項目名】００２６
【補正方法】変更
【補正の内容】
【００２６】
第５の発明は、デジタル放送波を受信可能な放送受信端末と商品の販売を行う加盟店サーバとクレジットカードの決済処理を行う決済サーバとを有する決済システムにおける放送受信端末であって、前記放送受信端末は、加盟店サーバと決済サーバとの間でセキュアな通信が可能であり、前記デジタル放送波で受信した番組情報に含まれる商品情報のうち、視聴者が選択した商品についての購入指示情報を前記加盟店サーバに送る購入指示処理部と、クレジットカード決済に用いる決済情報の暗号化を行うアプリケーションを起動するための制御指示を前記加盟店サーバから受け取り、前記放送受信端末に備えられた前記クレジットカード決済で用いるＩＣチップにおいて、前記購入した商品の決済情報を暗号化して暗号化決済情報を生成させる決済情報処理部と、前記ＩＣチップで生成された暗号化決済情報を前記決済サーバに送ることでクレジットカード決済の認証処理を行わせ、その認証結果を前記決済サーバから受け取る決済サーバ処理部と、前記決済サーバから正常な認証結果を受け取った場合には、その認証結果を前記加盟店サーバに送ることで、前記商品の購入完了情報を前記加盟店サーバから受け取る購入完了処理部と、を備える決済システムにおける放送受信端末である。